(57)【要約】【課題】、感熱リボンと被印刷媒体との剥離位置の精度を高める【課題を解決するための手段】感熱リボンから被印刷媒体に熱転写するサーマルプリンタに用いるサーマルプリントヘッドに、セラミック基板２２とグレーズ層２５と発熱抵抗体と電極層２８と保護被膜層２９とを備える。セラミック基板２２は、長方形の主面を持ちその主面から突出して長辺に沿って延びるリブ７１が形成されている。グレーズ層２５は、リブ７１を含む領域でセラミック基板２２の主面に融着している。また、グレーズ層２５には、主面から突出してリブ７１に平行に延びる突条２１が形成されている。発熱抵抗体は、抵抗体層２６に形成され、突条２１の表面に間隔を置いて配列されている。電極は、電極層２８に形成され、発熱抵抗体に接続している。保護被膜層２９は、発熱抵抗体および電極を被覆する。リブ７１には、下流側ヒータ８１が設けられている。【選択図】図１
2014188685.tif 000002
【特許請求の範囲】
【請求項１】
副走査方向に搬送される被印刷媒体に感熱リボンから熱転写するサーマルプリンタにおいて、
長方形の主面を持ちその主面から突出して長辺に沿って延びるリブが形成された基板と、前記リブを含む領域で前記主面に融着し前記主面から突出して前記リブに平行に延びる突条を有するグレーズ層と、前記突条の表面に間隔を置いて配列された発熱抵抗体と、前記リブの表面に形成された下流側ヒータと、前記発熱抵抗体および前記下流側ヒータを被覆する保護被膜層と、を備えるサーマルプリントヘッドと、
前記発熱抵抗体を発熱させる駆動素子と、
前記被印刷媒体を搬送する第１搬送手段と、
前記被印刷媒体および前記感熱リボンを前記サーマルプリントヘッドの前記発熱抵抗体が配列された領域に押し付ける円筒状のプラテンローラと、
前記プラテンローラに押し付けられた位置で前記被印刷媒体と前記サーマルプリントヘッドとの間を通過して前記リブの下流側で前記被印刷媒体から剥離するように前記リボンを搬送する第２搬送手段と、
を具備することを特徴とするサーマルプリンタ。
【請求項２】
前記リブの位置での前記保護被膜層の表面の高さは、前記突条の位置での前記保護被膜層の高さよりも高いことを特徴とする請求項１に記載のサーマルプリンタ。
【請求項３】
前記リブを跨ぐように金属層が前記長辺方向に間隔を置いて形成されていることを特徴とする請求項１または請求項２に記載のサーマルプリンタ。
【請求項４】
長方形の主面を持ちその主面から突出して長辺に沿って延びるリブが形成された基板と、
前記リブを含む領域で前記主面に融着し前記主面から突出して前記リブに平行に延びる突条を有するグレーズ層と、
前記突条の表面に間隔を置いて配列された発熱抵抗体と、
前記リブの表面に形成された下流側ヒータと、
前記発熱抵抗体と前記下流側ヒータとを被覆する保護被膜層と、
を具備することを特徴とするサーマルプリントヘッド。
【発明の詳細な説明】
【技術分野】
【０００１】
本発明は、サーマルプリントヘッドおよびそれを用いたサーマルプリンタに関する。
【背景技術】
【０００２】
サーマルプリントヘッドは、発熱部の発熱によって感熱記録紙、製版フィルム印画紙、各種カード類などの被印刷媒体に文字などからなる画像を形成する出力用デバイスであり、ビデオプリンター、イメージャー、シールプリンターなどの用途に用いられている。サーマルプリントヘッドは、基板上に配列された発熱抵抗体を有している。これらの発熱抵抗体を所定のパターンで発熱させることにより、サーマルプリントヘッドを用いて感熱紙、製版フィルム印画紙などのメディアへの記録が行われる。低騒音、低ランニングコストなどの利点を持つため、様々な開発が行われている。
【０００３】
サーマルプリントヘッドは、アルミナなどのセラミック基板の表面に保温層としてグレーズ層を形成した支持基体を有している。この支持基体上に発熱抵抗体層とアルミニウムなどの電極となる導電層とをスパッタ法などの薄膜形成方法によって積層した後、フォトエングレービングプロセスで発熱抵抗体、個別電極などをパターニングする。その後、発熱抵抗体層および電極の所定の部分を覆う絶縁保護被膜層をスパッタ法などの薄膜形成方法によって形成する。
【０００４】
このようにして製造された発熱体板と別途製造された回路基板とが放熱板の表面に固定される。さらに発熱体板の電極と回路基板に搭載された駆動ＩＣとがボンディングワイヤなどで接続され、駆動ＩＣなどが樹脂で封止されてサーマルプリントヘッドが製造される。
【０００５】
このようなサーマルプリントヘッドを用いたサーマルプリンタにおいては、印画時に、たとえば被印刷媒体と感熱リボンなどの転写媒体とをサーマルプリントヘッドの発熱抵抗体が形成された領域にプラテンローラで押し付けられる。プラテンローラで被印刷媒体などを搬送しながら、直線状に延びる発熱抵抗体の列に所定のパターンで発熱させることによって、所望の画像が得られる。
【０００６】
サーマルプリンタでは、印画に必要なエネルギーを発熱抵抗体から効率的に感熱リボンなどのメディアに伝達することが要求される。また、高画質を得るために、印画の後早い段階で感熱リボンと感熱リボンから転写される被印刷媒体とを熱時剥離することが求められる。
【０００７】
早い段階で熱時剥離することにより、つまり、印刷直後にメディアと発熱領域、あるいは、加熱された感熱リボンなどのメディアと被印刷媒体とを分離することによって、色の滲みが少なく、高画質が得られる。このため、サーマルプリントヘッドに剥離用のリブを取り付けて、その剥離用リブによって感熱リボンの搬送方向を被印刷媒体とは異なる方向に変化させて剥離する場合がある。あるいは、放熱板の先端部に剥離用のリブを設ける場合もある。
【先行技術文献】
【特許文献】
【０００８】
【特許文献１】特開２０１０−５９９号公報
【発明の概要】
【発明が解決しようとする課題】
【０００９】
感熱リボンから被印刷媒体に熱転写するサーマルプリンタにおいては、高画質を求めるため、印画直後の感熱リボンの熱時剥離を行っている。しかし、剥離用のリブをサーマルプリントヘッドに組み付ける場合、あるいは、サーマルプリンタの固定部にサーマルプリントヘッドと剥離用リブを独立して取り付ける場合には、サーマルプリントヘッドの発熱領域とリブとの相対的な位置の精度を高めることが困難である。サーマルプリントヘッドの放熱板の先端部に、放熱板と一体として剥離用リブを設ける場合であっても、発熱領域が位置する発熱体板と放熱板とは両面テープなどを介して接着するため、相対的な位置精度を高めることが困難である。特に、リブの高さ方向の精度を向上させることが困難である。
【００１０】
そこで、本発明は、感熱リボンから被印刷媒体に熱転写するサーマルプリンタにおいて、感熱リボンと被印刷媒体との剥離位置の精度を高めることを目的とする。
【課題を解決するための手段】
【００１１】
上述の課題を解決するため、本発明は、副走査方向に搬送される被印刷媒体に感熱リボンから熱転写するサーマルプリンタにおいて、長方形の主面を持ちその主面から突出して長辺に沿って延びるリブが形成された基板と、前記リブを含む領域で前記主面に融着し前記主面から突出して前記リブに平行に延びる突条を有するグレーズ層と、前記突条の表面に間隔を置いて配列された発熱抵抗体と、前記リブの表面に形成された下流側ヒータと、前記発熱抵抗体および前記下流側ヒータを被覆する保護被膜層と、を備えるサーマルプリントヘッドと、前記発熱抵抗体を発熱させる駆動素子と、前記被印刷媒体を搬送する第１搬送手段と、前記被印刷媒体および前記感熱リボンを前記サーマルプリントヘッドの前記発熱抵抗体が配列された領域に押し付ける円筒状のプラテンローラと、前記プラテンローラに押し付けられた位置で前記被印刷媒体と前記サーマルプリントヘッドとの間を通過して前記リブの下流側で前記被印刷媒体から剥離するように前記リボンを搬送する第２搬送手段と、を具備することを特徴とする。
【００１２】
また、本発明は、サーマルプリントヘッドにおいて、長方形の主面を持ちその主面から突出して長辺に沿って延びるリブが形成された基板と、前記リブを含む領域で前記主面に融着し前記主面から突出して前記リブに平行に延びる突条を有するグレーズ層と、前記突条の表面に間隔を置いて配列された発熱抵抗体と、前記リブの表面に形成された下流側ヒータと、前記発熱抵抗体と前記下流側ヒータとを被覆する保護被膜層と、を具備することを特徴とする。
【発明の効果】
【００１３】
本発明によれば、感熱リボンから被印刷媒体に熱転写するサーマルプリンタにおいて、感熱リボンと被印刷媒体との剥離位置の精度を高めることができる。
【図面の簡単な説明】
【００１４】
【図１】本発明に係るサーマルプリントヘッドの第１の実施の形態における発熱体板の断面図である。
【図２】本発明に係るサーマルプリントヘッドの第１の実施の形態の一部切欠き上面図である。
【図３】本発明に係るサーマルプリントヘッドの第１の実施の形態を用いたサーマルプリンタの断面図である。
【発明を実施するための形態】
【００１５】
本発明に係るサーマルプリントヘッドの一実施の形態を、図面を参照して説明する。なお、この実施の形態は単なる例示であり、本発明はこれに限定されない。
【００１６】
図１は、本発明に係るサーマルプリントヘッドの一実施の形態における発熱体板の断面図である。図２は、本実施の形態のサーマルプリントヘッドの一部切欠き上面図である。図３は、本実施の形態のサーマルプリントヘッドを用いたサーマルプリンタの断面図である。
【００１７】
本実施の形態のサーマルプリントヘッド１０は、放熱板３０と発熱体板２０と回路基板４０とを有している。放熱板３０は、たとえばアルミニウムなどの金属で形成された長方形の平板である。
【００１８】
発熱体板２０は、セラミック基板２２およびグレーズ層２５からなる絶縁基板を有している。セラミック基板２２は、たとえばアルミナ（Ａｌ２Ｏ３）で形成された長方形の平板である。セラミック基板２２の一方の表面は放熱板３０と向かい合っている。セラミック基板２２の放熱板３０とは反対側の表面には、リブ７１が形成されている。リブ７１は、セラミック基板２２の表面から突出し、セラミック基板２２の長手方向（主走査方向）に延びている。リブ７１は、セラミック基板２２の一方の長辺の近傍に設けられている。
【００１９】
セラミック基板２２のリブ７１が設けられた方の表面には、グレーズ層２５が融着している。グレーズ層２５は、ガラスで形成されている。グレーズ層２５には、突条２１が設けられている。この突条２１は、セラミック基板２２の表面から突出し、リブ７１と平行に、すなわち、主走査方向に延びている。突条２１は、主走査方向に垂直な副走査方向の断面が滑らかな曲線を描くように形成されている。また、セラミック基板２２に設けられたリブ７１の近傍にも、断面が滑らかな曲面を描くようにグレーズ層２５が形成されている。突条２１の高さは、リブ７１部のグレーズ層２５の頂部（剥離部７０）の高さよりも低い。
【００２０】
グレーズ層２５の表面には、抵抗体層２６が形成されている。また、抵抗体層２６の表面には、電極層２８が形成されている。電極層２８に切欠部が形成されていて、抵抗体層２６の電極層２８と重なり合わない部分が発熱抵抗体となる。それぞれの発熱抵抗体は、セラミック基板２２の副走査方向に延びている。
【００２１】
発熱抵抗体の副走査方向の下流側の端部には、電極層２８に形成された折返し電極が接続している。折返し電極は、隣り合う２つの発熱抵抗体を接続している。折返し電極に対して反対側の端部にも、電極層２８に形成された電極が発熱抵抗体に接続している。このようにして発熱抵抗体が全面グレーズ層２５の表面に間隔を置いて複数配列されて、セラミック基板２２の長手方向（主走査方向）に延びる帯状の発熱領域２４が形成されている。発熱領域２４の下流側（図１における右側）にも、抵抗体層２６および電極層２８が形成されていてもよい。
【００２２】
リブ７１部のグレーズ層２５の表面には、下流側ヒータ８１が設けられている。下流側ヒータ８１は、主走査方向に延びている。下流側ヒータ８１の主走査方向の両端部は、電極８０に接続されている。
【００２３】
抵抗体層２６および電極層２８の表面には、保護被膜層２９が形成されている。保護被膜層２９は、たとえばＳｉＯＮで形成されている。
【００２４】
サーマルプリントヘッド１０は、発熱領域２４を発熱させる駆動回路を有している。駆動回路には、下流側ヒータ８１を発熱させる回路も含む。
【００２５】
その駆動回路は、たとえば発熱体板２０と同じ側の表面で放熱板３０に載置された回路基板４０の上に形成されている。回路基板４０には、発熱領域２４に所定の発熱パターンを形成するための制御信号や駆動電力が入力される。この駆動回路は、たとえば回路基板４０に設けられた駆動素子４２などの電気部品を有している。発熱体板２０と駆動回路とは、たとえば発熱体板２０と回路基板４０との間に架け渡されたボンディングワイヤ４４によって電気的に接続される。さらに、回路基板４０の表面に形成された配線パターンと駆動素子４２との間もボンディングワイヤ４４で電気的に接続される。駆動素子４２およびボンディングワイヤ４４は、たとえば樹脂４８によって封止される。
【００２６】
次に、本実施の形態の製造方法を説明する。
【００２７】
まず、リブ７１を有するセラミック基板２２を形成する。このセラミック基板２２は、たとえばリブ７１に相当する部分に凸部を形成して、それを焼き固めることによって形成する。あるいは、セラミック板をサンドブラストなどの機械研磨法、あるいは、他の研磨方法でリブ７１以外の部分を除去して形成する。
【００２８】
次に、セラミック基板２２の主面にガラスペーストを印刷する。ガラスペーストの厚さは、たとえば３０〜１２０μｍとする。その後、セラミック基板２２に付着したガラスペーストを焼成する。この際、ガラスペーストの温度をガラスの軟化点温度以上にして、所定の時間保持し、その後、常温まで冷却する。これによりグレーズ層２５が形成される。
【００２９】
その後、グレーズ層２５の全面に抵抗体層２６の材料で成膜する。抵抗体２６の表面に、Ａｌなどの電極層２８の材料でスパッタリングなどにより成膜する。抵抗膜層および金属層を所定の形状にエッチングすることにより、所定のパターンの抵抗体層２６および電極層２８が形成される。
【００３０】
さらに、抵抗体層２６および電極層２８を被覆する保護被膜層２９を形成する。保護被膜層２９は、たとえばスパッタリングによって形成される。これにより、発熱体板２０が得られる。一枚のセラミック板に複数の発熱体板２０となる部分を形成し、製造過程の途中あるいは最後に分割して、複数の発熱体板２０を得てもよい。
【００３１】
このようにして製造された発熱体板２０および駆動素子４２を搭載した回路基板４０を放熱板３０に載置し、駆動素子４２と発熱体板２０との間にボンディングワイヤ４４を架け渡し、駆動素子４２およびボンディングワイヤ４４を封止することにより、サーマルプリントヘッド１０が完成する。
【００３２】
回路基板４０には、コネクタ４９が取り付けられている。回路基板４０および駆動素子４２などで構成された駆動回路は、コネクタ４９を介して外部から制御信号や電力を供給されて、発熱体板２０を駆動し、発熱領域２４を所定のパターンで発熱させる。
【００３３】
サーマルプリンタは、サーマルプリントヘッド１０とプラテンローラ６０と送出側リボンローラ６４と巻取側リボンローラ６３とリボンガイド６５とを有している。プラテンローラ６０は、サーマルプリントヘッド１０の発熱領域２４の法線方向に軸を持つ円柱状に形成される。プラテンローラ６０の側面は、ある程度の弾性を有している。プラテンローラ６０の側面は、発熱領域２４の表面および剥離部７０に接している。
【００３４】
送出側リボンローラ６４、巻取側リボンローラ６３およびリボンガイド６５は、サーマルプリントヘッド１０の発熱領域２４よりも放熱板３０側に配置されている。送出側リボンローラ６４およびリボンガイド６５は、サーマルプリントヘッド１０の発熱領域２４に対して上流側、すなわち、回路基板４０側に配置されている。巻取側リボンローラ６３は、サーマルプリントヘッド１０の発熱領域２４に対して下流側、すなわち、剥離部７０側に配置されている。
【００３５】
送出側リボンローラ６４は、未使用のインクリボン６２を回巻したものである。巻取側リボンローラ６３は、図示しない回転機構によって回転し、使用済みのインクリボン６２を回巻するものである。リボンガイド６５は、未使用のインクリボン６２の搬送方向を変化させる。
【００３６】
送出側リボンローラ６４から送出されるインクリボン６２は、リボンガイド６５で向きを変えられて、サーマルプリントヘッド１０の発熱領域２４に向かう。サーマルプリントヘッド１０の発熱領域２４近傍の弧状の表面で向きを変えられたインクリボン６２は、さらにサーマルプリントヘッド１０の剥離部７０で方向を変えられて、巻取側リボンローラ６３に向かう。
【００３７】
被印刷媒体６１は、プラテンローラ６０によってサーマルプリントヘッド１０の発熱領域２４に押し付けられつつ、副走査方向に移動する。この際、被印刷媒体６１と発熱領域２４との間にはインクリボン６２が介在する。被印刷媒体６１への印画の際には、外部から供給される信号などによって駆動素子４２などの駆動回路から発熱抵抗体に電流が供給されて、発熱する。サーマルプリントヘッド１０の発熱領域２４の発熱パターンを変化させながら、被印刷媒体６１を副走査方向に移動させることにより、被印刷媒体６１上に所望の画像が印画される。
【００３８】
インクリボン６２の印画に用いられた使用済み部分は、順次、巻取側リボンローラ６３に送られていく。送出側リボンローラ６４、巻取側リボンローラ６３およびリボンガイド６５などから構成されるインクリボン送出機構によって、インクリボン６２は、サーマルプリントヘッド１０の表面に接触しながら搬送される。
【００３９】
インクリボン６２上のインクは、発熱領域２４の発熱によって溶融し、被印刷媒体６１に転写される。インクリボン６２と被印刷媒体６１とは、発熱領域２４では接触しているが、発熱領域２４から離れるとともに離れていく。発熱領域２４の近傍で溶融したインクの粘着力によって、インクリボン６２は被印刷媒体６１に粘着したまま、ある程度下流側に移動する。その後、インクが溶融した状態のまま、被印刷媒体６１と異なる方向に移動するインクリボン６２は、剥離部７０で被印刷媒体６１から剥離される。
【００４０】
剥離部７０にヒータを設けない場合には、被印刷媒体６１およびインクリボン６２の熱は剥離部７０に逃げて、被印刷媒体６１およびインクリボン６２の温度が低下し過ぎる場合がある。被印刷媒体６１およびインクリボン６２の温度が低下し過ぎて、インクリボン６２のインクが固化してしまうと、被印刷媒体６１に付着しておくべきインクがインクリボン側６２に固着して剥がれてしまい、印刷品質が低下してしまう可能性がある。
【００４１】
しかし本実施の形態では、印刷時には、下流側ヒータ８１は通電されていて、発熱していて、剥離部７０は、インクリボン６２のインクが溶融した状態を維持する程度の温度に維持されている。その結果、インクが溶融した状態のままインクリボン６２が被印刷媒体６１から剥離される熱時剥離が実現できる。
【００４２】
焼成の際にガラスは流動性を持つため、グレーズ層２５の表面は滑らかな曲面を描く。このため、セラミック基板２２のリブ７１の近傍に形成されたグレーズ層２５の凸部は、剥離用リブとして用いることができる。この剥離用リブは、発熱領域２４が形成された発熱体板２０に一体として形成されているため、発熱領域２４との相対的な位置関係を高い精度で制御することができる。
【００４３】
また、グレーズ層２５は焼成によって形成するため、剥離用リブを大きくしようとすると焼成時の流動性に起因して最終的な形状の寸法精度を確保することが難しい。しかし、本実施の形態では、剥離部７０の下方にはセラミック基板２２のリブ７１があるため、剥離部７０近傍のガラスの量が少なくて済む。その結果、剥離部７０の寸法精度を高めることができる。特に、剥離部７０の高さの精度を高めることができる。
【００４４】
したがって、本実施の形態によれば、感熱リボンと被印刷媒体との剥離位置の精度を高めることができる。その結果、感熱リボンと被印刷媒体を熱時剥離し、その剥離位置の精度が高いため、印画品質を向上させることができる。また、発熱体板と放熱板との接着時、あるいは、サーマルプリントヘッドのサーマルプリンタへの組み付け時に、剥離用リブと発熱領域との相対的な位置調整を行う必要がないため、作業効率が向上する。
【００４５】
また、本実施の形態では、主走査方向に直線状に延びる一本の下流側ヒータ８１を用いている。しかし、下流側ヒータ８１の形状は、これに限定されるものではない。たとえば、直線状の下流側ヒータを分割して、主走査方向が発熱領域２４の発熱抵抗体と同じ位置のみが発熱するようにしてもよい。さらに、発熱領域２４の発熱抵抗体と同様に、副走査方向に延びる抵抗体を主走査方向に延びる電極で接続して下流側ヒータを形成してもよい。また、主走査方向が発熱領域２４の発熱抵抗体と同じ位置のみが発熱するように形成した下流側ヒータを発熱領域２４の発熱抵抗体が発熱した時のみ発熱するように制御してもよい。
【符号の説明】
【００４６】
１０…サーマルプリントヘッド、２０…発熱体板、２１…突条、２２…セラミック基板、２４…発熱領域、２５…グレーズ層、２６…抵抗体層、２８…電極層、２９…保護被膜層、３０…放熱板、４０…回路基板、４２…駆動素子、４４…ボンディングワイヤ、４８…樹脂、４９…コネクタ、６０…プラテンローラ、６１…被印刷媒体、６２…インクリボン、６３…巻取側リボンローラ、６４…送出側リボンローラ、６５…リボンガイド、７０…剥離部、７１…リブ、８０…電極、８１…下流側ヒータ
【図１】
2014188685.tif 000003
【図２】
2014188685.tif 000004
【図３】
2014188685.tif 000005